(57)【要約】【課題】芯地を使用して布や皮革材料等により縫製品を作製する際に、裁断作業等を容易なものとすることができる型紙機能付き芯地、及び手芸用キットを提供する。【解決手段】同じ種類のパーツについて、１つの形態を選択的に裁断可能に、２つ以上の形態の裁断線が予め印刷された型紙機能付き芯地を用い、この芯地を布に貼り付けて互いに一体的な状態とさせて上で、１つの形態を選択して、その形態を構成する裁断線に沿って、芯地とともに布を裁断することで、位置ズレ等が生じることなく、布の裁断を容易に行うことができる。また、このような型紙機能付き芯地を各パーツを形成する布や皮革材料と組み合わせることで、裁断・縫製作業を容易なものとすることができる手芸用キットを提供することができる。【選択図】図１
0003130756.tif 000002
【実用新案登録請求の範囲】
【請求項１】
同じ種類のパーツについて、１つの形態を選択的に裁断可能に、２つ以上の形態の裁断線が印刷されたことを特徴とする型紙機能付き芯地。
【請求項２】
上記それぞれの形態に応じた縫製箇所の指示線がさらに印刷されている請求項１に記載の型紙機能付き芯地。
【請求項３】
請求項１又は２に記載の型紙機能付き芯地と、上記型紙機能付き芯地を用いて選択された形態に応じた上記パーツが裁断される布又は皮革材料とを含むことを特徴とする手芸用キット。
【考案の詳細な説明】
【技術分野】
【０００１】  本考案は、布や皮革材料により形成される縫製品に用いられる芯地、及びこのような芯地が用いられる手芸用キットに関する。
【背景技術】
【０００２】  従来、芯地と布等とが縫製されて作製されるバッグや帽子等の縫製品（あるいは手芸製品）は、次のような手順にて作製されている。【０００３】  まず、縫製品を構成する複数のパーツ（構成部材）のそれぞれに応じたパターン（形態）線を型紙に描き、次にこの型紙をパターン線に沿って切り取る。そして、それぞれのパターン型紙を布の表面に配置させた状態で、パターン型紙の周囲全体に縫い代を考慮した裁断線を、布用チョーク等を用いて布表面に描き入れる。このとき、必要に応じて他のパーツと縫い合わせるための合い印も描き入れる。その後、布切りはさみを用いて裁断線に合わせて布を裁断することで、それぞれのパーツを作製する。次に、このパターン型紙を用いて芯地を裁断し、同様な形状を有する芯地を作製する。その後、パーツに芯地をアイロン等で接着して、合い印に沿ってパーツ同士を合わせた状態にて縫い合わせることで、縫製品が完成する。
【考案の開示】
【考案が解決しようとする課題】
【０００４】  しかしながら、このような作製方法では、型紙にパターンを描き入れる作業、型紙を基準として縫い代を考慮した裁断線や合い印を描き入れる作業、裁断線に合わせて布を裁断する作業、そしてパターン型紙に合わせて芯地を裁断する作業が、別々の工程で行われているため、ひとつひとつの工程にて線の描き込み位置の位置ズレやはさみで裁断する際に裁断位置の位置ズレなどが生じる場合がある。特に手芸の初心者にとっては、細心の注意を払ったとしてもこのような位置ズレが生じる可能性が高い。このような位置ズレが生じると、それぞれのパーツの寸法が変わってしまい、互いに縫い合わせることが困難となる場合があり、仮に縫製はできたとしても、縫製品の形態がくずれてしまうなどの問題が生じる場合がある。【０００５】  従って、本考案の目的は、上記問題を解決することにあって、芯地を使用して布や皮革材料等により縫製品を作製する際に、その裁断作業等を容易なものとすることができる型紙機能付き芯地、及び手芸用キットを提供することにある。
【課題を解決するための手段】
【０００６】  上記目的を達成するために、本考案は以下のように構成する。【０００７】  本考案の第１態様によれば、同じ種類のパーツについて、１つの形態を選択的に裁断可能に、２つ以上の形態の裁断線が印刷されたことを特徴とする型紙機能付き芯地を提供する。【０００８】  本発明の第２態様によれば、上記それぞれの形態に応じた縫製箇所の指示線がさらに印刷されている第１態様に記載の型紙機能付き芯地を提供する。【０００９】  本発明の第３態様によれば、第１態様又は第２態様に記載の型紙機能付き芯地と、上記型紙機能付き芯地を用いて選択された形態に応じた上記パーツが裁断される布又は皮革材料とを含むことを特徴とする手芸用キットを提供する。
【考案の効果】
【００１０】  本考案によれば、同じ種類のパーツについて、１つの形態を選択的に裁断可能に、２つ以上の形態を構成する裁断線が、芯地に予め印刷されているため、使用される布や皮革材料にこの芯地を接着して互いに一体的な状態とさせた後に、芯地に印刷されている裁断線に沿って芯地とともに布材料を裁断することで、芯地と布材料とを位置ズレが生じることなく同一形状に容易に切断することができる。したがって、布材料表面への裁断線の描き込み等の手間をなくすことができるとともに、描き込みや裁断時におけるそれぞれの部材間の位置ズレが生じることなく、その後の縫製作業を円滑に行うことができ、目的とする縫製品を容易に作製することができる。すなわち、芯地自体に従来の型紙としての機能を備えさせているため、従来のように芯地の他に型紙を一々用意する必要をなくすことができ、効率的な裁断・縫製作業を容易に行うことが可能となる。また、この芯地には２つ以上の形態を構成する裁断線が予め印刷されており、これらの形態より１つの形態を作業者が選択することができるため、多様化する需要に応じた様々な形態の中から、作業者の好み等に応じた形態を選択することを可能としながら、効率的かつ容易に縫製品を作製することができる。
【考案を実施するための最良の形態】
【００１１】  以下に、本考案にかかる実施の形態を図面に基づいて詳細に説明する。【００１２】  本考案の一の実施形態にかかる型紙機能付き芯地の一例である芯地１の模式平面図を図１に示す。この芯地１は、例えば、織物や不織布、その他スポンジ素材等の材料を用いて形成されるものであり、布材料等と貼り合わされて用いられることで、布材料の強度を向上させて、完成した縫製品が型崩れしにくくさせる等の機能を有している。なお、本実施形態の芯地は、例えば、室内履き（ルームシューズ）を縫製するために用いられるものとして、以下にその詳細な構成について説明する。【００１３】  図１に示すように、芯地１の表面には、ルームシューズを構成するための複数のパーツのパターン（形態）が予め印刷されている。具体的には、ルームシューズの甲部分の部材となるアッパー部のパターン（以下、「アッパーパターン」とする）２の裁断線４と、底部分の部材となるソール部のパターン（以下、「ソールパターン」とする）３の裁断線５とが印刷されている。【００１４】  アッパーパターン２は、全体として大略Ｕ字形状の形態を有するように裁断線４により輪郭付けられているが、そのＵ字形状の内側中央部分において、その形態が異なる２つのパターンが印刷されている。図１に示すように、裁断線４上において位置Ａと位置Ｂとの間の区間には、参照符号「４ａ」と「４ｂ」とで示す２つの裁断線が表示されており、これらのいずれかを選択することで作業者が採用するパターンを選択することが可能とされている。例えば、裁断線４ａを選択した場合には、後述する「フラットシューズ」用のアッパーパターン２を形成することができ、逆に裁断線４ｂを選択した場合には、「スリッポン（スリップオン）シューズ」用のアッパーパターン２を形成することができるようになっている。【００１５】  さらに、芯地１におけるアッパーパターン２には、裁断線４よりも所定の寸法だけ内側に入ったところに、縫製箇所の指示線である縫製指示線５（図示点線で示す）が印刷されている。この縫製指示線５についても、位置Ｃと位置Ｄとの間の区間にて、参照符号「５ａ」と「５ｂ」とで示す２つの縫製指示線が表示されており、選択された裁断線４ａ又は４ｂに応じて、フラットシューズ用の縫製指示線５ａ又はスリッポンシューズ用の縫製指示線５ｂを、その縫製作業の際に使用することが可能とされている。【００１６】  また、図１に示すように、ソールパターン３は、印刷された裁断線７によりその輪郭が形成されているとともに、所定の寸法だけ内側に入ったところに縫製指示線８が印刷されている。なお、アッパーパターン２及びソールパターン３の縫製指示線５、８は、縫い代等を考慮してその表示位置が決定されている。また、それぞれのパターン２、３において、縫製指示線５、８上には、互いのパターン２、３を縫い合わせる際に、縫い合わせ箇所となるいわゆる合い印６、９が印刷されて表示されている。【００１７】  次に、このような芯地１を用いて、布の裁断を行ってそれぞれのパーツを形成し、形成されたパーツを互いに縫製することでルームシューズを作製する方法について、図２に示す模式説明図を用いて以下に説明する。【００１８】  まず、図１に示すそれぞ��のパターン２、３が印刷された芯地１と、アッパー部用の生地１０と、ソール部用の生地１０とを用意する。なお、それぞれの生地１０は、同じ種類のものでも異なる種類のものでも良い。次に、芯地１において裁断線４、７等が印刷されている面とは逆側の面を生地１０に当てながらアイロンにて押し付けて加熱することで、芯地１を生地１０に接着する。このような接着作業を容易なものとするために芯地１の上記逆側の面には、予めのり加工等を施しておくことが好ましい。このとき、アッパー部とソール部とで、異なる生地１０を用いるような場合には、それぞれのパターン２、３が分割されるように、芯地１を適当な位置で切断して用いることが好ましい。このように芯地１と生地１０とを接着することで、芯地１と生地１０とを互いに一体的な状態とさせることができる。その後、図２に示すように、それぞれのパターン２、３の裁断線４、７に沿って、布切りはさみ１１により芯地１とともに生地１０を裁断する。アッパーパターン２において、例えばフラットシューズ用の裁断線４ａが選択されて、その裁断が行われた場合には、フラットシューズ用のアッパーパーツ２Ａが形成される。一方、スリッポンシューズ用の裁断線４ｂが選択されて、その裁断が行われた場合には、スリッポンシューズ用のアッパーパーツ２Ｂが形成される。なお、図２においては、その説明の理解を容易なものとするために、２種類のアッパーパーツ２Ａ及び２Ｂを共に図示している。【００１９】  この裁断作業によって芯地１のパターン２、３が貼り付けられた状態の生地１０により、それぞれのパーツが形成された後、印刷されているそれぞれの合い印６、９と、縫製指示線５（あるいは５ａ又は５ｂ）、８に従って、作業者がそれぞれのパーツを縫い合わせることで、ルームシューズが完成する。フラットシューズ用のパーツ２Ａが選択された場合には、図３（Ａ）に示すようなフラットシューズ１２Ａが完成する。一方、スリッポンシューズ用のパーツ２Ｂが選択された場合には、図３（Ｂ）に示すようなスリッポンシューズ１２Ｂが完成する。【００２０】  本実施形態のような芯地を用いれば、予め芯地１にそれぞれのパーツのパターンが印刷、すなわち、その裁断線や縫製指示線などが印刷されているため、使用される生地にこの芯地をアイロン等を用いて接着して互いに一体的な状態とさせた後に、芯地に印刷されている裁断線に沿って裁断することで、芯地と生地とをその位置ズレが生じることなく同一形状に切断することができる。したがって、生地上へのパターンの描き込み等の手間をなくすことができるとともに、描き込みや裁断時においてそれぞれの部材間の位置ズレが生じることなく、その後の縫製作業を円滑に行うことができ、目的とする縫製品を容易に作製することができる。すなわち、芯地自体に従来の型紙としての機能を備えさせているため、従来のように芯地の他に型紙を一々用意する必要をなくすことができ、効率的な裁断・縫製作業を容易に行うことが可能となる。【００２１】  さらに、芯地には、縫製指示線が印刷されているため、裁断や縫製の初心者であっても、容易に裁断作業や縫製作業を行うことができ、このような手芸作業の楽しみを十分に味わうことができる。特に、アッ��ーパーツのパターンとして、フラットシューズ用とスリッポンシューズ用との２つの種類のパターンを作業者が選択的に裁断することができるように、予め芯地にその裁断線が印刷されており、さらに２つのパターンに応じた縫製指示線もが印刷されているので、作業者の好みに応じてパターンを選択することを可能としながら、その後の裁断・縫製作業を容易なものとすることができ、ニーズの多様化に応えることと作業を容易なものとすることを両立させて実現することが可能となる。また、手芸の熟練者にとっても、それぞれの作業の手間を大いに削減することができるため、短い期間でより複雑な縫製品を作製することができ、手芸作業の楽しみをさらに高めることができる。【００２２】  なお、本考案は上記実施形態に限定されるものではなく、その他種々の態様で実施できる。例えば、芯地が貼り合わされる材料は、布等の生地だけに限られるものではなく、裁断してその後縫製が行われるような材料であればよい。例えば、皮革材料や樹脂シート材料などを用いることもできる。【００２３】  また、芯地を生地にアイロンを用いて加熱しながら貼り付けるような場合について説明したが、このような貼り付け方法としては、従来から用いられている様々な手法を適用することができる。【００２４】  また、図１に示す芯地１において、アッパーパターン２に２種類のパターンが印刷されている場合について説明したが、このような複数種類のパターンとして、例えば、シューズのサイズに応じた複数のパターン（Ｓ、Ｍ、Ｌ等）が選択できるように印刷されているような場合であってもよい。【００２５】  また、上記説明においては、型紙機能付きの芯地を用いてルームシューズを作製する場合について説明したが、図４の模式説明図に示すように、このような型紙機能付きの芯地１と、それぞれのパーツを形成する生地１０とを組み合わせたルームシューズ作製用の手芸キットを構成することもできる。このような手芸キットを用いれば、作業者がより用意に縫製品を作製することができる。【００２６】  また、上記説明においては、ルームシューズを縫製品の一例として説明したが、このような縫製品は芯地が用いられるものであれば良く、ルームシューズの他に、例えば帽子、バッグ、小物入れなどの縫製品に対して、本考案の芯地を適用することができる。【００２７】  なお、上記様々な実施形態のうちの任意の実施形態を適宜組み合わせることにより、それぞれの有する効果を奏するようにすることができる。
【図面の簡単な説明】
【００２８】
【図１】本考案の一の実施形態にかかる型紙機能付き芯地の模式平面図である。
【図２】図１の芯地を用いて生地の裁断を行う方法を説明する模式説明図である。
【図３】裁断及び縫製作業を経て完成したルームシューズを示す模式図であって、（Ａ）はフラットシューズを示す図であり、（Ｂ）はスリッポンシューズを示す図である。
【図４】上記実施形態の芯地を含んで構成される手芸用キットの模式図である。
【符号の説明】
【００２９】  １  芯地
２  アッパーパターン
３  ソールパターン
４  裁断線
４ａ  フラットシューズ用の裁断線
４ｂ  スリッポンシューズ用の裁断線
５  縫製指示線
５ａ  フラットシューズ用の縫製指示線
５ｂ  スリッポンシューズ用の縫製指示線
６  合い印
７  裁断線
８  縫製指示線
９  合い印
１０  生地
１１  布切りはさみ
１２Ａ  フラットシューズ
１２Ｂ  スリッポンシューズ
【図１】
0003130756.tif 000003
【図２】
0003130756.tif 000004
【図３】
0003130756.tif 000005
【図４】
0003130756.tif 000006
【手続補正書】
【提出日】平成18年9月11日(2006.9.11)
【手続補正１】
【補正対象書類名】実用新案登録請求の範囲
【補正対象項目名】全文
【補正方法】変更
【補正の内容】
【実用新案登録請求の範囲】
【請求項１】
同一のパーツの形態として、２種類以上の形態を特定する裁断線が印刷された構造を有する型紙機能付き芯地。
【請求項２】
上記それぞれの形態に応じた縫製箇所の指示線がさらに印刷された請求項１に記載の型紙機能付き芯地。
【請求項３】
請求項１又は２に記載の型紙機能付き芯地と、
上記型紙機能付き芯地とともに上記裁断線に沿って裁断される布又は皮革材料とを含む手芸用キット。
【手続補正書】
【提出日】平成19年1月9日(2007.1.9)
【手続補正１】
【補正対象書類名】実用新案登録請求の範囲
【補正対象項目名】全文
【補正方法】変更
【補正の内容】
【実用新案登録請求の範囲】
【請求項１】
同一のパーツの形態として、２種類以上の形態を特定する裁断線が印刷された構造を有する型紙機能付き芯地と、
上記型紙機能付き芯地とともに上記裁断線に沿って裁断される布又は皮革材料とを含む手芸用キット。
【請求項２】
上記型紙機能付き芯地には、上記それぞれの形態に応じた縫製箇所の指示線がさらに印刷されている、請求項１に記載の手芸用キット。
【請求項３】
上記型紙機能付き芯地は、上記布又は皮革材料へ貼り付けるための接着材料が予め塗布された接着面を、上記裁断線の印刷面とは逆側の面に備える、請求項１又は２に記載の手芸用キット。
【手続補正３】
【補正対象書類名】明細書
【補正対象項目名】０００７
【補正方法】変更
【補正の内容】
【０００７】  本考案の第１態様によれば、同一のパーツの形態として、２種類以上の形態を特定する裁断線が印刷された構造を有する型紙機能付き芯地と、
上記型紙機能付き芯地とともに上記裁断線に沿って裁断される布又は皮革材料とを含む手芸用キットを提供する。
【手続補正４】
【補正対象書類名】明細書
【補正対象項目名】０００８
【補正方法】変更
【補正の内容】
【０００８】  本考案の第２態様によれば、上記型紙機能付き芯地には、上記それぞれの形態に応じた縫製箇所の指示線がさらに印刷されている、第１態様に記載の手芸用キットを提供する。
【手続補正５】
【補正対象書類名】明細書
【補正対象項目名】０００９
【補正方法】変更
【補正の内容】
【０００９】  本考案の第３態様によれば、上記型紙機能付き芯地は、上記布又は皮革材料へ貼り付けるための接着材料が予め塗布された接着面を、上記裁断線の印刷面とは逆側の面に備える、第１態様又は第２態様に記載の手芸用キットを提供する。